(57)【特許請求の範囲】
【請求項１】
磨耗部材（12,212）を土砂移動機械の親部材（14,214）に取り外し可能に取り付ける機械式取付システム（10,210）であって、
外側表面（64,264）と、該外側表面（64,264）中のリテーナー開口（82,282）と、一対の対向する捕獲要素（84,86,284,286）とを有し、前記親部材（14,214）上に担持された取付ベース（20,220）と；
前記取付ベース（20,220）中のリテーナー開口（82,282）に整列可能なリテーナー通路（44,244）を有する前記磨耗部材（12,212）と；
前記取付ベース（20,220）上の第１当接表面（88,288）と前記磨耗部材（12,212）上の第２当接表面（58,258）を含み、前記磨耗部材（12,212）の前記取付ベース（20,220）上への載置及び摺動取り付けを許容する、前記取り付けベース（20,220）及び前記磨耗部材（12,212）上の協働する載置及び摺動係合要素（22,222）と；
一対の対向側部（106,108）と巻き込まれたバネ部分（110）とを有し、前記リテーナー開口（44,244）を通して受け入れられるように適合したリテーナー（24,224）とを具備し；
前記バネ部分（110）は前記リテーナー（24,224）に十分な弾性を提供して前記リテーナー（24,224）が前記リテーナー開口（82,282）中に挿入されるのを許容し、前記リテーナー（24,224）は前記捕獲要素（84,86,284,286）により係合されて保持され、前記第１当接表面（88,288）及び第２当接表面（58,258）は互いに離間した対向関係に配置され、前記取付ベース（20,222）の外側表面（64,264）の下の位置で前記リテーナー（24,224）の前記対向側部（106,108）の各々に当接する関係を有している機械式取付システム（10,210）。
【請求項２】
前記磨耗部材（12,212）は前記親部材（14,214）上の所定の高さを有し、前記リテーナー（24,224）は所定の厚さを有しており、使用可能な磨耗物質としての磨耗部材（12,212）の高さを最大にするために、前記リテーナー（24,224）は前記親部材（14,214）上の高さがその厚さにより画成されるように、前記リテーナー開口（82,282）中に取り付けられている請求項１記載の取付システム（10,210）。
【請求項３】
前記取付ベース（20,220）は前記親部材（14,214）に対して配置された内側表面（62,262）と、前記内側表面（62,262）と前記取付ベース（20,220）の前記外側表面（64,264）との間の所定の厚さを有しており、前記リテーナー開口（82,282）は前記親部材（14,214）が前記開口（82,282）の底部を形成するように前記ボディ部分（60,260）の全体を通して伸長しており、前記リテーナー（24,224）は前記取付ベース（20,222）の前記外側表面（64,264）から突き出ないように前記ボディ部分（60,260）の厚さを越えない所定の厚さを有している請求項１記載の取付システム（10,210）。
【請求項４】
前記第１当接表面（88,288）及び前記第２当接表面（58,258）は概略整列した対向関係で前記リテーナー（24,224）の各側部（106,108）に係合し、前記リテーナー（24,224）は剪断力ではなく圧縮力がロードされる請求項１記載の取付システム（10,210）。
【請求項５】
前記協働する載置及び摺動係合要素（22,222）は更に、前記磨耗部材（12,212）が一方向の移動により前記取付ベース（20,220）上に載置され、次いで横切る方向にスライドされると、前記当接表面（56,256,81,281）は互いに噛み合って前記横切る方向のそれ以上の移動を防止し、前記インターロック表面（53,253,79,279）は互いに対向するインターロック関係にもたらされて、前記磨耗部材（12,112）の前記横切る方向と反対方向の移動以外のいかなる方向の移動も制限されるように、前記磨耗部材（12,212）上の第４当接表面（56,256）及び第１の組のインターロック表面（53,253）と、前記取付ベース（20,220）上の第３当接表面（81,281）及び第２の組の噛み合うインターロック表面（79,279）を含んでいる請求項１記載の取付システム（10,210）。
【請求項６】
前記リテーナー（24,224）は一対の対向端部（102,104）と、一対の対向側部（106,108）を有しており、前記巻き込まれたバネ部分（110）は前記リテーナー（24,224）に前記移動方向を横切る方向に十分な弾性を提供して、前記リテーナー（24,224）の長さを一方の端部（102）から他方の端部（104）までの所定の自由長さから前記ボディ部分（100）の端部（102,104）に圧縮力が加わったときの短い圧縮長さに変わるのを許容するが、前記リテーナー（24,224）の対向側部（106,108）に圧縮負荷が印加されたときに、顕著な歪みを起こすことなく圧縮負荷に耐えられるように一方の側部（106）から他方の側部（108）にかけての十分な剛性を提供するように適合している請求項１記載の取付システム（10,210）。
【請求項７】
前記リテーナー（24,224）は一方の端部（102）から他方の端部（104）方向の縦方向軸を有しており、前記巻き込まれたバネ部分（110）は縦方向軸（112）に沿って進むにつれて前記リテーナー（24,224）の一方の側（106）から他方の側（108）に行ったり来たりするコンボリュート（渦巻き）（114）を有している請求項７記載の取付システム（10,210）。
【請求項８】
前記コンボリュート（114）は前記リテーナー（24,224）に切り込まれた複数の互い違いのスロット（116,130）から形成され、前記スロットの第１の組（118）が前記一方の側部（106）から他方の側部（108）に伸長しており、前記スロットの第２の組（120）が前記第１の組のスロット（118）の隣接する２つの間に配置されて前記他方の側部（108）から前記一方の側部（106）に伸長している請求項７記載の取付システム（10,210）。
【請求項９】
前記リテーナー開口（82,282）は前記移動方向を横切る方向を向いて前記第１当接表面（88,288）を提供する側部と、一対の対向端部（90,92,290,292）を有しており、前記対向端部（90,92,290,292）はその間に前記リテーナー（24,128,238,224）の所定の自由長さを収容するように十分な距離離間されており、前記捕獲要素（84,86,284,286）は前記取付ベース（20,220）の外側表面（64,264）に隣接して配置された一対のフランジ（94,294）により提供され、前記フランジ（94,294）の１つは前記各対向端部（90,92,290,292）から前記リテーナー（24,128,138,224）の各端部（106,108）上に内側方向に伸長している請求項６記載の取付システム（10,210）。
【請求項１０】
前記取付ベース（20,220）中の前記リテーナー開口（82,282）は連続した当接片受け入れ開口（78,278）を含んでおり、前記載置及び摺動係合要素（22,222）は前記リテーナ開口（82,282）の前記当接片受け入れ開口（78,278）中に伸長するように配置され、前記取付ベース（20,220）の前記第１当接表面（88,288）と離間した対向関係で配置された前記第２当接表面（58,258）を提供する前記磨耗部材（12,212）上の第１当接片（50,250）を含んでいる請求項１記載の取付システム（10,210）。
【請求項１１】
前記親部材（14,214）は土砂移動バケットの底部ベースエッジ（14,214）であり、前記底部ベースエッジ（14,214）は前記切断刃（219）と該切断刃（219）から後方向に伸長した底部表面（18,218）を有している請求項１記載の取付システム（10,210）。
【請求項１２】
前記磨耗部材（12,212）は切断刃プロテクタ（212）であり、前記切断刃プロテクタ（212）はテーパ状ノーズ部分（231）と後方向に伸長する下部ボディ部分（226）を有しており、前記取付ベース（20,220）は平らな取付部分（60,260）と前記取付部分（260）の前端部（286）の立ち上がったフランジ部分（296）を有しており、前記フランジ部分（296）は前記切断刃（219）に当接するように位置付けされる後面（298）と、前記切断刃プロテクタ（212）の前記テーパ状ノーズ部分（231）に当接するように位置付けされる前面（281）を有しており、前記後面及び前面に垂直方向の掘削力が前記切断刃プロテクタ（212）から前記取付ベース（20,220）の前記フランジ部分（296）を介して前記切断刃（219）に運ばれる請求項１１記載の取付システム（10,210）。
【請求項１３】
前記磨耗部材（12,212）は磨耗タイルであり、前記取付ベース（20,220）は前記切断刃（219）の後部位置で前記ベースエッジ（14,214）の前記底部表面（18,218）に取り付けられており、前記取付ベース（20,220）は概略長方形の平たいボディ部分（60,260）を有している請求項１２記載の取付システム（10,210）。
【請求項１４】
前記磨耗部材（12,212）は取付側（30,230）と反対の露出した磨耗側（32,232）を有しており、前記取付側（30,230）は取付ベース受け入れポケット（34,234）を有しており、前記リテーナー通路（44,244）は前記露出した磨耗側（32,232）から前記ポケット（34,234）中に伸長している請求項１３記載の取付システム（10,210）。
【請求項１５】
土砂移動機械の親部材（14,214）を磨耗から保護する磨耗部材（12,212）であって、
取付側（30,230）と反対の露出した磨耗側（32,232）を有し、前記取付側（30,230）は取付ベース受け入れポケット（34,234）を有しており、前記ポケット（34,234）は縦方向軸（28,288）に沿って離間した対向する端部（36,38,236,238）を有している、縦方向軸（28,228）に沿って配置されたボディ部分（26,226）と；
前記縦方向軸（28,228）を横切る方向に伸長した対向する側部（46,48,246,248）を有し、前記露出した磨耗側（32,232）から前記ポケット（34,234）に伸長するリテーナー通路（44,244）と；
前記磨耗部材（12,212）の前記親部材（14,214）により担持された取付ベース（20,220）上への取り付けを許容する協働する載置及び摺動係合要素（22,222）とを具備し；
前記載置及び摺動係合要素（22,222）は前記ポケット（34,234）の一端部（36,236）近傍に配置された第１当接片（50,250）と、前記ポケット（34,234）の他端部（38,238）近傍に配置された第２当接片（52,252）を含んでおり、前記当接片（50,52,250,252）は前記縦方向軸（28,228）に沿って中央部分に配置され、前記リテーナー通路（44,244）がその間に配置されており、各当接片（50,52,250,252）は前記磨耗部材（12,212）を前記取付ベース（20,220）に取り付けるのに使用する両側に形成された一組の外部あり継ぎ表面（54,254）と、一対の対向表面（56,58,256,258）を有しており、前記対向表面（56,58,256,258）は互いに離間した対向関係で配置されて前記縦方向軸（28,228）を横切る方向に向いており、前記一対の対向表面（56,58,256,258）の一つは前記リテーナー通路（44,244）の一方の側部（48,248）に整列している磨耗部材（12,212）。
【請求項１６】
磨耗部材（12,212）を土砂移動機械の親部材（14,214）に機械的に取り付けるためのリテーナー（24,128,138,224）であって、
一対の対向端部（102,104）と一対の対向側部（106,108）を有する概略平らなボディ部分（100）と；
圧縮力が前記ボディ部分（100）の前記対向端部（102,104）に加わったとき、前記ボディ部分（100）の長さが一方の端部（102）から他方の端部（104）までの所定の自由長Ｌｆから短い圧縮長さＬｓに変わるのを許容するように、前記ボディ部分（100）に十分な弾性を提供するが、前記対向側部（106,108）に加えられる圧縮負荷に対しては大きな歪みを発生させずに前記リテーナー（24,224）が耐えられるように、一方の側部（106）から他方の側部（108）にかけては十分な剛性があるように適合した、前記ボディ部分（100）に沿った巻き込まれたバネ部分（110）と；
を具備した一体的部材から形成されたリテーナー（24,224）。
【請求項１７】
前記リテーナー（24,224）は一方の端部（102）から他方の端部（104）に向かう縦方向軸（112）を有しており、前記巻き込まれたバネ部分（11O）は前記縦方向軸（112）に沿って進むにつれて前記リテーナー（24,224）の一方の側（106）から他方の側（108）にかけて行ったり来たりするコンボリュート（114）を有している請求項１６記載のリテーナー（24,224）。
【請求項１８】
前記コンボリュート（114）は前記ボディ部分（100）に切り込まれた複数の互い違いのスロット（116,130）により形成されており、第１の組のスロット（118）は前記一方の側部（106）から他方の側部（108）にかけて伸長し、第２の組のスロット（120）は隣接する前記第１の組のスロット（118）の間に配置されて、前記他方の側部（108）から前記一方の側部（106）にかけて伸長する請求項１７記載のリテーナー（24,224）。
【請求項１９】
磨耗部材（12,212）を土砂移動機械の親部材（14,214）の露出された表面に取り外し可能に取り付けるのに使用される取付ベース（20,220）であって、
親部材（14,214）の前記露出した表面（18,218）に接触する内側表面（62,262）と、対向した外側表面（64,264）と、ボディ部分（60,260）の横方向軸に平行な一対の対向した端部（66,68,266,268）と、それぞれ前記磨耗部材（12,212）からの横方向の力を前記親部材（14,214）に伝達するための当接片として作用するように適合した部分を有する、前記ボディ部分（60,260）の縦方向軸（28,228）に平行な一対の側部（70,72,270,272）とを有する概略平らな長方形ボディ部分（60,260）と；
それぞれ前記磨耗部材（12,212）を前記取付ベース（20,220）に取り付けるために使用する内部あり継ぎ表面を具備した対向端部を有する前記ボディ部分（60）の一端部（66）及び他端部（68）に形成された第１及び第２切欠き（76,78）と；
前記切欠きの一方（78）に連続して形成され、前記切欠きに対向する側部（88）と、一対の対向する端部（84,86）とを有するリテーナー開口（82,282）とを具備し；
前記各端部（84,86）はリテーナー（24,224）を前記リテーナー開口（82,282）に保持するために使用する内側方向に伸長したフランジ（94）を有している取付ベース（20,220）。
【発明の詳細な説明】
技術分野
本発明は一般的に交換可能な磨耗部材に関し、特に、土砂移動機械の親部材に交換可能な磨耗部材を取り付けるためのシステムに関する。
背景技術
例えばバケットあるいはトラックボディ等の構造部材を保護するための交換可能な磨耗部材が技術分野で良く知られている。これらの交換可能な磨耗部材は数多くの締結方法により保持される。全てではないが従来のほとんどの締結方法は、ある程度の欠点を有している。
例えば、磨耗部材を取り付けるために溶接がしばしば使用される。しかし、溶接は高価で且つ時間のかかるものであり、更に磨耗部材の除去及び交換も同様に高価で時間のかかる仕事である。数多くの型の機械的締結具が使用されているが、その複雑性、非信頼性及びコスト要因のために成功の程度はまちまちである。
磨耗部材の望ましい主な特徴は長寿命であり、且つ磨滅後に廃棄される金属の量を最小にするためにできるだけ完全に使い切るのが望ましい。磨耗部材を保持するシステムの望ましい特徴は、磨耗部材が使用される過酷な環境中において良く耐えられること、磨耗部材の全寿命を通して破損がないこと、磨耗部材の迅速で容易な取り付け及び取り外しを許容することである。従来知られている磨耗部材及び締結システムは、これらの望ましい特徴のいくつかを提供するが、他の特徴を欠くために不満足なものである。
本発明は上述した問題の１つあるいはそれ以上を克服せんとするものである。
発明の開示
本発明の１つの側面においては、磨耗部材を土砂移動機械の親部材に取り外し可能に取り付ける機械的取付システムが提供される。機械的取付システムは、外側表面と、外側表面に形成された保持（リテーナー）開口と、一対の対向する捕獲要素とを有する親部材に担持された取付ベースを含んでいる。磨耗部材は取付ベースの保持開口に整列可能なリテーナー（保持器）通路を有している。各取付ベース及び磨耗部材上の協働する載置及び摺動係合要素が、磨耗部材の取付ベース上への載置及び摺動取り付けを許容する。載置及び摺動係合要素は、取付ベース上の第１当接表面と、磨耗部材上の第２当接表面を含んでいる。リテーナーは一対の対向側部と、渦巻き状バネ部を有している。リテーナーはリテーナー通路を介して受け入れられるように適合しており、バネ部が十分な弾性をリテーナーに提供することにより、リテーナーがリテーナー通路を介して挿入されるのを許容する。リテーナーが挿入されると、リテーナーは捕獲要素により係合されて保持され、第１及び第２当接表面は互いに離間した対向関係に配置され、取付ベースの外側表面の下の位置ではリテーナーの対向側部に対して当接関係を有している。
本発明の他の側面においては、縦方向軸と、取付側部と、反対側の磨耗露出側部を含んだ、土砂移動機械の親部材を磨耗から保護する磨耗部材が提供される。取付側部は、縦方向軸に沿って離間された対向端を有する取付ベース受け入れポケットを有している。リテーナー通路は磨耗露出側部からポケット中に伸長している。リテーナー通路は、縦方向軸を横切る方向に伸長した対向側部を有している。協働する載置及び摺動係合要素が、磨耗部材を親部材に担持された取付ベースに取り付けるのを可能にする。載置及び摺動係合要素は、ポケットの一端部に隣接した第１当接片と、ポケットの他端部に隣接した第２当接片を含んでいる。これらの当接片はリテーナー開口がその間に配置されるように縦方向軸に沿って中央部分に配置されている。各当接片は、磨耗部材を取付ベース及び一対の対向表面の１つに取り付けるのに使用する外部あり継ぎ（dovetail）表面の組を対向側部に有している。対向表面は互いに離間した対向関係で配置されており、縦方向軸を横切る方向に向いている。一対の対向表面の１つはリテーナー通路の側部の一方に整列している。
【図面の簡単な説明】
図１は本発明の原理を具備した機械的取付システムの平面図；
図２は図１の２−２線に沿って断面された本発明の取付システムの断面図；
図３は図１の３−３線に沿って断面された本発明の断面図；
図４は図１の４−４線に沿って断面された本発明の断面図；
図５は図１の５−５線に沿って断面された本発明の断面図；
図６は図３の６−６線に沿った本発明の取付システムの平面図；
図７は図６に類似した平面図であるが、本発明の取付システムの取付ベースを示している。
図８は所定の自由長さ状態の保持（リテーナー）部材の平面図；
図９は所定の短い圧縮状態の保持部材の平面図；
図１０は図８及び図９に示された保持部材の一部断面図；
図１１は本発明の保持部材の代替実施形態平面図；
図１２は保持部材の他の代替実施形態の断面図；
図１３ａ〜図１３ｃは磨耗部材の取付ベースへの組立を示す斜視図；
図１４は本発明の原理を具備した機械的取付システムの第２実施形態の断面図；
図１５は図１４に示された本発明の部品の前面側分解斜視図；
図１６は図１４に示されたベース部材の斜視図；
図１７は本発明の背面側斜視図である。
発明を実施するための最良の形態
図面を参照すると、磨耗部材１２を土砂移動機械（図示せず）の親部材１４に取り外し可能に取り付けるための、機械的取付システムが符号１０で示されている。
図１〜図６に示されている本発明の第１実施形態においては、システム１０は、この場合磨耗タイル形状である磨耗部材１２を、バケット（図示せず）の底部ベース縁形状である親部材１４（図２）に取り外し可能に取り付けるように適合している。底部ベース縁あるいは親部材１４は磨耗から保護すべき表面１８を有してる。磨耗部材１２に加えて、システム１０は取付ベース２０を含んでいる。取付ベース２０及び磨耗部材１２はその両側に協働する載置及び摺動係合要素２２を有しており、これにより磨耗部材１２が取付ベース２０に載置されて摺動取り付けされるのを許容する。システム１０は更に、使用の間に磨耗部材１２を取付ベース２０上に保持するための保持器（リテーナー）２４（図４）を含んでいる。
複数の磨耗部材１２がバケットに取り付けられる。このような磨耗部材は通常、例えばバケットの切断刃の後部位置でのバケットのベース縁の底面に取り付けられる。
磨耗部材１２は縦方向軸２８に沿って配置された概略長方形状の平らなボディ部分２６と、取付側３０と、反対側の磨耗露出側３２を含んでいる。取付側３０は取付ベース受け入れポケット３４を有している。ポケット３４は縦方向軸２８に沿って離間された端部３６，３８を有している（図６）。ポケット３４は更に、当接表面４２が配置された長手方向（縦方向）に伸長する対向する側部４０を有している。リテーナー通路４４（図２）が磨耗露出側３２からポケット３４に伸長してボディ部分２６に設けられている。リテーナー通路４４（図２）は縦方向軸２８を横切るように伸長した対向する側部４６，４８を有している。
第１当接片（第１アバットメント）５０（図６）がポケット３４の一方の端部３６に隣接して配置されており、第２当接片５２がポケット３４の他方の端部３８に隣接して配置されている。当接片５０，５２は磨耗部材１２の縦方向軸２８に沿って中央部分に配置されている。どちらの当接片５０，５２も第１の組のインターロック表面５３を有している。より好ましくは、各当接片は、後で詳細に説明される載置及び摺動係合２２の一部を形成するところの、磨耗部材１２を取付ベース２０に取り付けるのに使用するための一組の外部あり継ぎ表面５４をその両側に具備している（図３及び図５）。当接片５２は第２当接表面５８を提供し、当接片５０は第４当接表面５６を提供する。当接表面５６，５８（図６）は離間した対向関係で配置されており、縦方向軸２８を横切る方向を向いている。当接表面５８は更に、磨耗部材１２のリテーナー通路４４の側部４８に整列している。
取付ベース２０は親部材１４上に担持されており、縦方向軸２８に沿って配置された概略平面状の長方形ボディ部分６０（図７）を含んでいる。取付ベース２０は親部材１４の露出表面１８に接触する内側表面６２と、反対側の外側表面６４と、縦方向軸を横切る一対の対向端部６６，６８と、縦方向軸に平行な一対の側部７０，７２を有している。好ましくは、取付ベース２０は親部材に溶接により固定される。このような溶接を容易にするために、取付部材２０は隅肉溶接を受け入れるための一対の概略長円形状の溶接開口７４を備えている。
第１切欠き７６がボディ６０の一端部６６に配置されており、第２切欠き７８が他端部６８に配置されている。各切欠き７６，７８は一組の第２インターロック表面７９を有している。より好ましくは、各切欠き７６，７８は、磨耗部材１２上の外部あり継ぎ表面５４に係合するように適合した一組の長手方向に伸長した内部ばち形表面８０を有している。第１切欠き７６は、当接片５０の第４当接表面５６に対向関係で配置された第３当接表面８１を含んでいる。
取付ベース２０は更にその外側表面６４にリテーナー開口８２を含んでいる。リテーナー開口８２は第２切欠き７８に連続しており、第１当接片５０と第２当接片５２の間に配置されている。リテーナー開口８２は切欠き７８に対向する第１当接表面あるいは側部８８と、一対の対向する端部９０，９２と、一対の対向する捕獲要素８４，８６を有している。捕獲要素８４，８６は好ましくは各端部９０，９２の内側方向に伸長するフランジ９４により形成され、（後述する）リテーナーをリテーナー開口中に保持するために使用される。
図８〜図１０に最も良く示されるように、リテーナー２４は、取付ベース２０のリテーナー開口８２中に載置されるように適合した概略平らなボディ部分１００を有している。ボディ部分１００は一対の対向端部１０２，１０４と、一対の対向側部１０６，１０８を含んでいる。ボディは好ましくは鋼から形成されるが、技術分野で良く知られた実質上圧縮されないどのような物質から形成されてもよい。リテーナー２４は更に、ボディの端部１０２，１０４に圧縮力が掛かったときには端部から端部までの所定の自由長さＬｆが短い圧縮長さＬｓに変更されるのを許容するが、横方向の圧縮力に対しては十分な剛性を発揮して大きな変形を伴うことなくリテーナー２４が耐えることのできる、ボディ１００に縦方向軸１１２に沿って端部方向の十分な弾性を提供するように適合した巻き込まれたバネ部分１１０をボディ１００に沿って具備している。
巻き込まれたバネ部分１１０は縦方向軸１１２に沿ってリテーナーの一方の側部１０６から他方の側部１０８の間を行ったり来たりする渦巻き（コンボリュート）１１４を有している。渦巻き１１４はボディ部分１００を切断して形成された複数のインターリーブされた（互い違いの）スロット１１６により形成されており、第１の組のスロット１１８が一方の側部１０６から他方の側部１０８に伸長し、第２の組のスロット１２０が第１の組の隣接するスロット１１８の間に配置され、側部１０８から側部１０６方向に伸長している。
図８〜図１０に示されたリテーナー２４の実施形態においては、互い違いのスロット１１６は概略涙滴形状をしており、半径端１２２はリテーナーが圧縮されたとき曲げ応力を減少させる作用をする。対向する端部１０２，１０４の各々には好ましくはリテーナー除去のためにリテーナーを圧縮する、例えばマイナススクリュードライバーのようなプライ工具（プライヤー）の挿入を許容するように適合した傾斜した底部１２６を有するプライ工具用切欠き１２４を備えている。
図１１に示されたリテーナーの他の実施形態においては、リテーナー１２８の互い違いのスロット１３０は直線状両側部と、応力を解放するための球根状端部１３２を有している。リテーナー１２８は更に傾斜した端部１３６を有する中央プライ工具開口１３４を有している。リテーナー１２８の他の構成部分は上述したリテーナー２４に類似している。
図１２に示されているリテーナーの更に他の実施形態においては、リテーナー１３８は２つの分離した端部部分１４０，１４２と、分離したバネ要素１４４とを有する組み立てられた複合構造をしている。バネ要素１４４はアコーディオン形状をしており、２つの端部部分１４０，１４２の間に伸長してこれらの端部部分に取り付けられている。
協働載置及び摺動係合要素２２は、上述したように、磨耗部材１２上の第１当接片５０及び第１の組のインターロック表面５３と、取付ベース２０上の横方向当接表面８１により提供される第２当接片及び第２の組の噛み合いインターロック表面７９を含んでいる。この構成により、一方向の移動により磨耗部材が取付ベース上に載置され、次いで横方向に摺動されたとき、当接片同士が更なる横方向の動きを防止するために一緒にされ、インターロック表面は互いに対向するインターロック関係にもたらされて、これにより横方向と反対の移動方向以外の磨耗部材のいかなる方向の動きも制限されるように、磨耗部材１２の取付ベース２０上への載置及び摺動取付が許容される。
図１３ａ〜図１３ｃに示されているように、載置及び摺動取付は、図１３ａに矢印９６で示されているように磨耗部材１２を第１方向に取付ベース２０に向かって移動することにより、磨耗部材１２を取付ベース２０上に載置する行為を意味している。図１３ｂに示されるように、磨耗部材１２は、第１当接片５０が第１切欠き７６の左側で、第２当接片５２がリテーナー開口８２中に配置されて第２切欠き７８から左側にオフセットされているオフセット位置で取付部材２０上にまず位置付けされる。磨耗部材１２が次いで矢印９８で示される第２の横方向右側にスライドされて、当接片５０，５２上及び切欠き７６，７８中の噛み合いあり継ぎ表面５４，８０が互いに対向するインターロック関係にもたらされる図１３ｃに示される取付位置までスライドされる。磨耗部材１２が取付位置になると、第１当接片５０上の第４当接表面５６は第１切欠き７６の第３当接表面８１の近辺にもたらされ、第２当接片５２の第２当接表面５８はリテーナー開口８２の開口端部近辺にもたらされることに注意されたい。更に、磨耗部材１２中のリテーナー通路８４は取付ベース中のリテーナー開口８２と整列するように位置付けされる。更に、取付ベース２０の各側部７０，７２は磨耗部材１２のポケット３４側の各当接表面４２とぴったり合う当接関係に位置付け可能である。このような当接表面４２は磨耗部材１２の横方向の動きを防止し、磨耗部材１２からの横方向の力を親部材１４に伝達するための当接片として作用する。その結果、横方向９８と反対方向の矢印９９で示される移動方向以外の磨耗部材１２のいかなる方向の動きも制限される。
リテーナー２４を磨耗部材１２中のリテーナー通路４４を通して取付ベース２０のリテーナー開口８２中に挿入すると、リテーナー２４の一方の側部１０６が取付ベース２０のリテーナー開口８２の第１当接表面８８に当接し、リテーナーの他方の側部１０８が磨耗部材１２の第２当接片５２の第２当接表面５８に当接する。これにより、矢印９９で示される方向の移動を防止し、磨耗部材１２を取付ベース２０に保持する。このような第１及び第２当接表面８８，５８は、取付ベース２０の外側表面６４の下の位置でリテーナー２４の両側部１０６，１０８に対向して且つ離間した関係で配置されている。加えるに、リテーナーに剪断力ではなく圧縮力が掛かるように、第１及び第２当接表面８８，５８は互いに概略整列した関係でリテーナーの各側部１０６，１０８に係合する。
取付ベース２０は内側表面６２と外側表面６４の間の所定の厚さＴｂを有しており、親部材１４がリテーナー開口の底部を形成するように、リテーナー開口８２は好ましくは取付ベース２０のボディ部分６０の全体に渡り伸長していることに注目すべきである。リテーナー２４が取付ベース２０の外側表面から突き出ないように、リテーナー２４の厚さは取付ベース２０の厚さよりも厚くないのが好ましい。
磨耗部材１２は親部材１４上の所定の高さＨを有しており、リテーナー２４は所定の厚さＴｒを有している。図２に示されているように、使用可能な磨耗部材として磨耗部材１２の高さを最大にするために、リテーナー２４は親部材１４上の高さがその厚さにより画成されるように、親部材１４上に平らに置かれている。磨耗部材１２がその交換が要求されるまでに低い高さまで磨耗して、磨耗部材の寿命を長くし、廃棄されるべきスクラップの量を減少するように、リテーナー２４の形状及び配置方向が、非常に低い姿勢で本発明の機械的取付システム１０を提供することに注意するのが重要である。
本発明の第２実施形態が図１４〜図１７に示されており、切断刃磨耗部材の磨耗部材２１２を土砂移動機械（図示せず）のバケット切断刃の形状の親部材２１２に取り外し可能に取り付けるための機械的取付システム２１０が提供される。
第１実施形態と同様に、切断刃２１４は磨耗から保護されるべき表面２１８を有している。切断刃２１４は更に前部エッジ表面２１９を有している。システム２１０は更に取付ベース２２０と、磨耗部材２１２の取付ベース２２０上への載置及び摺動取付を可能にする、取付ベース２２０及び磨耗部材２１２上の協働載置及び摺動係合要素２２２と、使用の間に磨耗部材２１２を取付ベース２２０に取り付けたままで保持するリテーナー２２４を含んでいる。
複数の磨耗部材２１２がバケットに取り付けられる。通常このような磨耗部材は、バケット切断刃に沿って配置された複数のバケットの歯（図示せず）の間に取り付けられる。
磨耗部材２１２は縦方向軸２２８に沿って配置された概略長方形の平らな底部ボディ部分２２６と、取付側２３０と、反対の露出された磨耗側２３２とを含んでいる。本実施形態では、磨耗部材２１２は更に、切断刃２１４の上方に伸長する後ろ方向に延びたフランジ２３３を具備したテーパ状地面係合ノーズ部分２３１を有している。取付側２３０は好ましくは取付ベース受け入れポケット２３４を有している。ポケット２３４は、横方向の負荷を取付ベース２２０に伝達するための当接表面２４２を有する、対向する縦方向に伸長した側部２４０，２４１を有している。リテーナー通路２４４が露出した磨耗側２３２からポケット２３４中に伸長するようにボディ部分２２６に設けられている。リテーナー通路２４４は縦方向軸２２８を横切るように伸長する対向する側部２４６，２４８を有している。
第１当接片２５０はリテーナー通路２４４に隣接したポケット２３４中に伸長し、第２当接表面２５８を提供する。第２当接片２５２はノーズ部分により形成されて第４当接表面２５６を提供する。当接表面２５８，２５６は互いに離間した対向関係に配置されていて、縦方向軸２２８を横切る方向を向いている。当接表面２５８はまた、磨耗部材２１２のリテーナー通路２４４の一方の側部２４８に整列している。
載置及び摺動係合要素２２２の一部を形成する第１の組のインターロック表面２５３が、磨耗部材２１２を取付ベース２２０に取り付けるのに使用するために設けられている。好ましくはこのようなインターロック表面２５３は、第１当接片２５０上の一組の外部あり継ぎ表面２５４と、ポケット２３４の側部２４０，２４１から伸長している類似した一組のばち形表面２５５の形で提供される。
取付ベース２２０（図１６）は親部材２１４上に載置され、縦方向軸２２８に沿って配置された概略平らな長方形ボディ部分２６０を含んでいる。取付ベース２２０は親部材２１４の露出表面２１８に接触する内側表面２６２と、外側表面２６４と、縦方向軸を横切る一対の対向する端部２６６，２６８と、縦方向軸に平行な一対の側部２７０，２７２を有している。好ましくは、取付ベース２２０は溶接により親部材に固定される。この溶接を容易にするために、取付ベース２２０は隅肉溶接を受け入れるための長方形溶接開口２７５を具備している。
取付ベース２２０にはリテーナー開口２８２と連続する当接片開口２７８が設けられている。リテーナー開口２８２は第１当接片２５０と第２当接片２５２の間に配置されている。リテーナー開口２８２は当接片開口２７８に対向する第１当接表面即ち側部２８８と、一対の対向する端部２９０，２９２と、そのうちの１つが２８４で示されている一対の対向する捕獲要素とを有している。好ましくは、捕獲要素２８４は、リテーナーをリテーナー開口に保持するのに使用するために、両端部２９０，２９２上の内側方向に伸長したフランジ２９４により形成されている。
取付ベース２２２は一組の第２インターロック表面２７９を具備している。好ましくは、このようなインターロック表面は、当接片開口２７８中の一組の縦方向に伸長した内部あり継ぎ表面２８０と、両側２７０，２７２に沿った一組の縦方向に伸長した内部あり継ぎ表面２８５により提供される。内部あり継ぎ表面２８０，２８５は磨耗部材２１２上の外部あり継ぎ表面２５４，２５５に噛み合うように適合している。
取付ベース２２０は更に、その前端部２６８に立ち上がったフランジ部分２９６を具備している。フランジ部分２９６の前端面が、第２当接片２５２の第４当接表面２５６に対向関係で配置された第３当接表面２８１を提供する。フランジ部分２９６は更に、表面２８１の反対側に縦方向の掘削負荷を切断刃表面２１９を介して切断刃に渡す内部当接表面２９８を有している。
第１実施形態で説明したのと同様に、リテーナー２２４は磨耗部材２１２を取付ベース２２０に保持するために、取付ベース２２０のリテーナー開口２８２中に載置されるように適合している。リテーナー２２４は前に図示し説明したリテーナーの実施形態に類似しているので、リテーナー２２４についてのこれ以上の説明は省略する。
産業上の利用可能性
磨耗部材１２，２１２を土砂移動機械の親部材１４，２１４に取り外し可能に取り付ける本発明の取付システム１０，２１０はいくつかの利点を提供する。システム１０の主な利点は、磨耗部材１２の取付ベース２０への迅速で簡単な取り付けと、最悪のパッキング状態におけるその取り外しである。取り付けは、通常のスクリュードライバあるいは小さなプライヤー以外の特別な工具を使用せずに、過大に力を要求されずに達成される。載置及び摺動構造が、磨耗部材を取り付けベース上に載置し、上述したように協働する載置及び摺動係合要素が磨耗部材を係合する取付位置に摺動するのを許容する。取付位置においては、リテーナー２４はリテーナー通路４４中に挿入される。リテーナーの一端部が一方のフランジの下でリテーナー開口中に位置付けされ、他端部が他方のフランジ上に位置付けされると、リテーナーの他端部でほじくりバー（プライヤー）がほじくり工具切欠き中に挿入される。ほじくりバーでリテーナーに合理的な最小の力を適用することにより、リテーナーはその長さが十分に圧縮されて、リテーナーの自由端が他方のフランジを通過してリテーナーをリテーナー開口中に十分に着座させる。リテーナーの取り外しは上述した手順を逆にすることにより達成される。
本発明システムの他の主な利点は、リテーナーが親部材の非常に近くに配置され、非常に低い姿勢をとっていることである。これにより、従来知られているシステムに比較して、使用可能な磨耗部材の高さを顕著に増加させる。換言すると、磨耗部材を交換する必要がある高さまで磨耗部材は磨耗可能である。故に、交換が必要なときには廃棄する必要のあるより少ない材料が残されることになり、コスト及び無駄を減少させる。同様な結果をもたらすために、インターロック表面及び当接表面は親部材の近くに位置付けされることに注意すべきである。
加えるに、システム１０は磨耗部材１２が使用中に適切な位置に取り付けられていない場合に、取付ベース２０の界面を保護する。取付ベースの切欠き及び開口は取り出された物質により充填され、新しい磨耗部材１２が取り付けられるまで界面を顕著な磨耗から保護する。
作動準備中に、取付ベース２０の内側表面６２は親部材１４の表面１８に対して位置付けされる。溶接ビードが溶接開口７４の周囲に適用されて、取付ベース２０を親部材１４に固定する。
本発明は磨耗部材及び土砂移動機械のバケットの切断刃の保護構造として説明してきたが、当業者にとっては本発明の他の応用分野も思いつくものである。例えば、本発明の機械的取付システムはバケットチップ及びアダプタのバケットのコーナーガードとして、及びトラック等のベッドライナーの磨耗タイルとして容易に適合可能であり、これらのすべては本発明の範囲内に入るものである。
本発明の他の側面、目的及び利益は添付図面、発明の詳細に説明及び請求の範囲を研究することにより得ることができる。
【図１】
0004082741.tif 000002
【図２】
0004082741.tif 000003
【図３】
0004082741.tif 000004
【図４】
0004082741.tif 000005
【図５】
0004082741.tif 000006
【図６】
0004082741.tif 000007
【図７】
0004082741.tif 000008
【図８】
0004082741.tif 000009
【図９】
0004082741.tif 000010
【図１０】
0004082741.tif 000011
【図１１】
0004082741.tif 000012
【図１２】
0004082741.tif 000013
【図１３ａ】
0004082741.tif 000014
【図１３ｂ】
0004082741.tif 000015
【図１３ｃ】
0004082741.tif 000016
【図１４】
0004082741.tif 000017
【図１５】
0004082741.tif 000018
【図１６】
0004082741.tif 000019
【図１７】
0004082741.tif 000020